(57)【要約】      （修正有）【課題】根菜類の種類の形状ごとに植え付け床を可変適応させることにより種芋の植え付け姿勢を一定の状態に置き、発芽ムラや生育のムラが生じないで安定した品質に生育させることができる根菜類の種芋植え付け溝成形器を提供する。【解決手段】動力走行車の後部に連結した機枠に深耕手段を配置し、この深耕手段の後部に深耕した掘削土を集める集土カバーを配置するとともに集土カバーの後方に断面略Ｖ字状の植え付け溝成形器１６を配置する。植え付け溝成形器１６は、溝案内板２０と左右一対の側壁板１７から形成され、左右の側壁板１７は後面視で断面Ｖ字の傾斜角を有するとともにそのＶ字の角度を調整可能に構成し、かつ平面視において後方に向けて末広がりの角度を調整する手段を具備する。左右の側壁板１７が形成する植え付け溝のＶ字状の底部は、一定幅の平面部を有する。【選択図】図３
2019000087.tif 000002
【特許請求の範囲】
【請求項１】
動力走行車の後部に連結した機枠に深耕手段を配置し、この深耕手段の後部に深耕した掘削土を集める集土カバーを配置するとともに集土カバーの後方には断面略Ｖ字状の植え付け溝成形器を配置するものにおいて、この植え付け溝成形器は溝案内板と左右一対の側壁板から形成され、左右の側壁板は後面視で断面Ｖ字の傾斜角を有するとともにそのＶ字の角度を調整可能に構成し、かつ平面視において後方に向けて末広がりの角度を調整する手段を具備したことを特徴とする根菜類の種芋植え付け溝成形器
【請求項２】
左右の側壁板が形成する植え付け溝のＶ字状の底部には一定幅の平面部を有する請求項１記載の根菜類の種芋植え付け溝成形器
【請求項３】
植え付け溝成形機は取り付け支柱に対し側面視において独立的に上下方向に角度調整可能に構成した請求項２記載の根菜類の種芋植え付け溝成形器
【請求項４】
後方に向けた末広がりの角度調整手段として伸縮自在のターンバックルを架け渡してなる請求項３記載の根菜類の種芋植え付け溝成形器
【発明の詳細な説明】
【技術分野】
【０００１】    本発明は長芋、大和芋などの根菜類の種芋を植え付ける溝成形器の構成に関するものである
【背景技術】
【０００２】根菜類の種芋植え付け機に関する技術は過去にも種々の開発がなされている。例えば実用新案出願公告昭５２−１１０５１号として「根菜類の種子植え付け装置」（特許文献１）、また、実用新案出願公告昭５７−４５７６１号として「深耕トレンチャーにおける排土案内取り付け装置」（特許文献２）、及び特許公開４８−４２０１号として「溝掘兼深耕機」（特許文献３）等が知られる。
【先行技術文献】
【特許文献】
【０００３】
【特許文献１】実用新案出願公告昭５２−１１０５１号公報
【特許文献２】実用新案出願公告昭５７−４５７６１号公報
【特許文献２】特許公開４８−４２０１号公報
【発明の概要】
【発明が解決しようとする課題】
【０００４】根菜類の種芋はその種類や、親芋の分割形状等によって形態が異なる。又、その種芋の植え付け状態によって、生育品質のバラツクことが知られる。たとえば長芋の一年子と２年子の種芋、また親芋の切芋（輪切り状態）は形状が異なる。またずんぐり型やグローブ型のヤマトイモなどがある。しかし前記した先行技術の成形器は単に断面略Ｖ字状のラフな床構成である。したがって、種芋の植え付けた時の姿勢は、深さや芽の方向、植え付けピッチが不規則になって収穫時の品質ムラにつながる課題があった。特許文献１は「牽引する台車Ｃの前車輪３８が床６２の中央部上を走行して、これにより床６２上に播種用を作成する」と記載されて植え付け溝は車輪の踏みつけによるラフな溝である。特許文献２は「断面Ｖ字状に形成するとともにその両端部上端を弧状に湾曲してなる排土案内板を施肥播種のための溝を形成する」と記載され、単に断面Ｖ字状の床であり、異なる形状の種芋に対して一定に揃えるのは困難である。また特許文献３は「播種溝付け器９（図面では下方にＶ字状の突起形状）によって所望の播種溝が形成」と記載されているが異なる形状の種芋を一定に揃えるのは困難である。
【課題を解決するための手段】
【０００５】根菜類の種芋は種類によって形状が異なるが、その種芋形状の特性に適応させて、植え付け溝を可変させて植え付け姿勢を揃えて植え付けするために、動力走行車の後部に連結した機枠に深耕手段を配置し、この深耕手段の後部に深耕した掘削土を集める集土カバーを配置するとともに集土カバーの後方には断面略Ｖ字状の植え付け溝成形器を配置するものにおいて、この植え付け溝成形器は溝案内板と左右一対の側壁板から形成され、左右の側壁板は後面視で断面Ｖ字の傾斜角を有するとともにそのＶ字の角度を調整可能に構成し、かつ平面視において後方に向けて末広がりの角度を調整する手段を具備したことを特徴とする根菜類の種芋植え付け溝成形器である。また前記の溝成形器であって左右の側壁板が形成する植え付け溝のＶ字状の底部は一定幅の平面部を有する根菜類の種芋植え付け溝成形器である。また植え付け溝成形機は取り付け支柱に対し側面視において独立的に上下方向に角度調整可能に構成したものである。また前記の溝成形器は後方に向けた末広がりの角度調整手段として伸縮自在のターンバックルを架け渡してなるものである。
【発明の効果】
【０００６】以上のような構成にしたので、根菜類の種芋の植え付けにあっては、その種類の形状ごとに植え付け床を可変適応させるので、種芋の植え付け姿勢が一定の状態に置かれので、発芽ムラや生育のムラが生じないで安定した品質に生育する。特に溝成形器の左右一対の側壁板が形成する植え付け溝のＶ字状の底部は一定幅の平面部を有するので、ずんぐりした大和芋の種芋はその平面部に載置するだけで一定の植え付けとなる。また親芋を輪切り状態にした種芋を平面幅に直径を合わせれば一定の植え付けとなり、根付き後の生育品質も揃う。また植え付け溝成形器は取り付け支柱に対し側面視において独立的に上下方向に角度調整可能に構成したので、動力車に連結した深耕手段の姿勢には影響されずに溝成形器は常に水平状態を保つ効果がある。また溝成形器は後方に向けた末広がりの角度を有するので溝内壁の側面は圧着されるので崩れにくく、また角度調整手段として伸縮自在のターンバックルを架け渡してなるので必要によってオペレーターは専用の道具を必要とせずに簡単に末広がり角度を調整できる。
【図面の簡単な説明】
【０００７】
【図１】本発明を実施した外観側面図
【図２】要部断面説明図
【図３】植え付け溝成形器の後方斜視図
【図４】植え付け溝成形器の後面図
【図５】植え付け溝成形器の平面図
【図６】植え付け溝成形器の後方斜視図
【図７】種芋の植え付け状態の説明図
【図８】種芋の種類説明図
【発明を実施するための形態】
【０００８】動力走行車の後部に連結した機枠に深耕手段を配置し、この深耕手段の後部に深耕した掘削土を集める集土カバーを配置するとともに集土カバーの後方には断面略Ｖ字状の植え付け溝成形器を配置するものにおいて、この植え付け溝成形器は溝案内板と左右の側壁板から形成され、左右の側壁板は後面視で断面Ｖ字の傾斜角を有するとともにそのＶ字の角度を調整する手段を具備し、かつ平面視において後方に向けて末広がりの角度を調整する手段を具備したことを特徴とする根菜類の種芋植え付け溝成形器である。また前記根菜類の種芋植え付け溝成形器は左右の側壁板が形成する植え付け溝のＶ字状の底部は一定幅の平面部を有する。また前記根菜類の種芋植え付け溝成形器は取り付け支柱に対し側面視において独立的に上下方向に角度調整可能に構成する。また前記の根菜類の種芋植え付け溝成形器は後方に向けた末広がりの角度調整手段として伸縮自在のターンバックルを架け渡してなる。
【実施例】
【０００９】本発明を実施した図面に基づいて構成を説明する。図１は本発明を実施した外観側面図であり、１は動力走行車のトラクター後部を示し、２は機枠を示し深耕手段３１を支承する。機枠２は取り付け三点リンクであるトップリンク５、ロアリンク４によって固着されて、油圧アーム３によって深耕手段３１を上下に昇降させる。３２は回転軸でトラクターの動力を伝えるもので、図示しないが変速箱を経由して７の駆動スプロケットを回転させる。６は主ビームを示して深耕手段３１の主フレームを示し、適宜にローラー８を設けてチェーン９を駆けまわしている。３３は切削刃を示して、前記のチェーン９の外周に取り付けられている。３１の深耕手段はトラクター後部１より回転軸３２を回転させて駆動スプロケット７を回転させてチェーン９を駆動する。チェーン９に取り付けられた切削刃３３によって切削された砕土は後方に送られて深耕畦３５を形成する。１２は集土カバーで前記の深耕手段３１によって後方に向けて掘削した砕土を集めて深耕畝上に盛り土する。１０のヒッチブラケットは機枠２の後部に連結したもので１１の弾圧具によって集土カバー１２を弾着支持している。１３は集土板１２の後部に向けた連結ブラケットで、左右の縦フレーム３４を介して１４の鎮圧輪を支承する。鎮圧輪１４は深耕畦３５幅より狭く形成れていて、深耕畦の肩の部分を圧縮して締める。縦フレーム３４の後端にはボス扞１５を設けて支柱１９を介して１６の植え付け溝の成形器を連結している。
図２は要部断面説明図を示して、（イ）は集土カバー１２の砕土成形状態を示した断面図である。３５は深耕手段によって掘削砕土した深耕畝の断面を示している。（ロ）は１４の鎮圧輪の説明図で、掘削砕土された畝の芯を押圧している状態である。畝よりも狭い鎮圧輪が畝の肩の部分を押圧して、畝上部の陥没を防止する。（ハ）は１６の植え付け溝成形器の後面図を示して、左右一対の側壁板１４が植え付け溝の略Ｖ字状を形成するもので、略Ｖ字の底部は一定幅の平面部を形成する。
図３は植え付け溝成形器１６の後方斜視図を示し、前方に砕土を左右に分ける溝案内板２０を有している。１９は支柱を示し前部に前記の案内板２０を固着して、後方部に左右一対の側壁板１７を配置する。側壁板１７は対象に配置されて、前部は屈折して前面版１８を形成する。一対の左右の前面板１８は重合して２２の長穴によって左右に角度調整可能に構成され、２１の固定ネジによって適宜固定される。２３は側壁板１７の後部に架け渡された幅調整具であって、本実施例では両端に左右ネジを配したターンバックルを使用し、中央部のグリップを回転することで、特殊な工具も必要なく容易に左右幅を伸縮自在に構成している。２４は樹脂版を示し、前記した側壁板１９の外方に固着される。畑の土壌が粘土質等においては特に土の付着を防止する。
図４は植え付け溝成形器の後面図を示し、０−０’は走行方向の中心線を示しＡは側面板の傾斜角を示し種芋の形態によって調整するもので、１８の前面板の長穴２２を適宜調整して固定ネジ２１によって固定する。Ｌは植え付け溝の底部に形成した平面部幅を示して、例えばずんぐりした大和芋の種芋は少し広幅の平面部幅Ｌを形成し、親芋の輪切りの場合はその直径に合致させた平面部幅Ｌを設定すると種芋は揃えたピッチに植えられる。また従来の一年子や２年子の場合は狭幅Ｌに調整すれば進行方向に向けて一定に載置されて生育が揃う。
図５は植え付け溝成形器の平面図を示し、０−０’は走行方向の中心線を示しＢは側壁板１７の末広角を示す。特に土壌が崩落しやすい畑においてＶ字溝の傾斜面を保持するには、幅調整具２３によって末広角度Ｂを大きくして側壁板１７によって傾斜面を押圧して固化させるとよい。進行方向に対して広がり角度分だけ側方に押圧して成形溝の形態を保持する。
図６は植え付け溝成形器の後方斜視図を示し、前記した縦フレーム３４に設けたボス扞１５に取り付けた支柱１９に対して、植え付け溝成形器１６を上下方向に回動自在に取り付けたものである。２７は前面板１８の前部に設けたブラケットで支軸２６によって支承される。前記支柱１９と植え付け溝成形機１６とは２５の姿勢調整ネジ２５の伸縮によって、深耕畦の上面に水平に姿勢を設定するものである。
図７は種芋の植え付け状態の説明図である。（イ）切芋３０を植え付けた状態である。２９は植え付け溝成形器１６が構成した植え付け溝を示し、Ｌは溝の平面部の幅である。３０は長芋の親芋を輪切りにした切芋を示す。（ロ）は一年子芋２８、２年子の植え付けた状態である。この場合の成形溝は従来のＶ字形でよく、その細溝の進行方向に向けて一列に載置すると、一年子芋２８は一列に揃って生育する。
図８は種芋の種類説明図である。（イ）むかごから育てた一年子芋２８、または２年子の形状である。（ロ）は生育芋とその生育芋を輪切りにした種芋の形状を示す。（ハ）大和芋のずんぐり形やグローブ型の種芋の形を示している。
【産業上の利用可能性】
【００１０】
【符号の説明】
【００１１】１はトラクター後部
２は機枠
３は油圧アーム
４はロアリンク
５はトップリンク
６は主ビーム
７は駆動スプロケット
８はローラ
９はチェーン
１０はヒッチブラケット
１１は弾圧具
１２は集土カバー
１３は連結ブラケット
１４は鎮圧輪
１５はボス扞
１６は植え付け溝成形器
１７は側壁板
１８は前面板
１９は支柱
２０は溝案内板
２１は固定ネジ
２２は長穴
２３は幅調整具
２４は樹脂板
２５は姿勢調整ネジ
２６は支軸
２７は支持ブラケット
２８は一年子芋
２９は植え付け溝
３０は切芋
３１は深耕手段
３２は回転軸
３３は切削刃
３４は縦フレーム
３５は深耕畦
Ａは傾斜角
Ｂは末広角
【図１】
2019000087.tif 000003
【図２】
2019000087.tif 000004
【図３】
2019000087.tif 000005
【図４】
2019000087.tif 000006
【図５】
2019000087.tif 000007
【図６】
2019000087.tif 000008
【図７】
2019000087.tif 000009
【図８】
2019000087.tif 000010